(57)【要約】【課題】携帯端末の探索機能の不要な作動を減らす。【解決手段】放置状態検知部１１２は、自携帯端末が所定期間継続して不使用であることを示す放置状態を検知する。問合せ部１１３は、放置状態検知部１１２により放置状態が検知された場合に、自端末の存在を認識しているか否かをユーザに問い合わせる。応答受付部１１４は、問合せ部１１３による問い合せに対するユーザの応答を受け付ける。音声認識部１１５は、応答受付部１１４が応答を受け付けなかった場合に、マイクロホンが収音した音声に対する音声認識を開始する。報知部１１７は、音声認識部１１５によりあらかじめ決められたキーワードが認識された場合に、ユーザに対して自端末の存在を報知する。携帯端末は、放置状態であり、かつ、ユーザが自端末の存在を認識していない場合に音声認識を開始することで、携帯端末の探索機能の不要な作動を減らすことができる。【選択図】図３
2012070085.tif 000002
【特許請求の範囲】
【請求項１】
自端末が所定期間継続してユーザにより使用されていないことを示す放置状態を検知する放置状態検知部と、
前記放置状態検知部により放置状態が検知された場合に、自端末の存在を認識しているか否かをユーザに問い合わせる問合せ部と、
前記問合せ部による問い合せに対するユーザの応答を受け付ける応答受付部と、
前記応答受付部が前記応答を受け付けなかった場合に、収音部が収音した音声に対する音声認識を開始する音声認識部と、
前記音声認識部によりあらかじめ決められたキーワードが認識された場合に、前記ユーザに対して自端末の存在を報知する報知部と
を備えることを特徴とする携帯端末。
【請求項２】
操作部を備え、
前記放置状態検知部は、前記所定期間継続して前記操作部が操作されないことを前記放置状態として検知し、
前記応答受付部は、ユーザの前記操作部の操作により前記応答を受け付ける
ことを特徴とする請求項１に記載の携帯端末。
【請求項３】
自端末に与えられる振動を検知する振動検知部を備え、
前記放置状態検知部は、前記操作部が操作されず、かつ、前記振動検知部が振動を検知しない期間が前記所定期間継続したことを前記放置状態として検知する
ことを特徴とする請求項２に記載の携帯端末。
【請求項４】
自端末がユーザにより使用されなかった期間の履歴を蓄積する履歴蓄積部を備え、
前記放置状態検知部は、前記履歴蓄積部に蓄積された履歴に応じた長さの前記所定期間に基づいて、前記放置状態を検知する
ことを特徴とする請求項１から３のいずれかに記載の携帯端末。
【請求項５】
前記履歴蓄積部は、あらかじめ決められた時期ごとに分類して前記履歴を蓄積し、
前記放置状態検知部は、現在の時期に対応する前記履歴に応じた長さの前記所定期間に基づいて、前記放置状態を検知する
ことを特徴とする請求項４に記載の携帯端末。
【請求項６】
計時部と、
自端末のユーザの就寝時刻及び起床時刻を表す時刻情報を記憶する時刻記憶部と、
自端末の周囲の照度を検知する照度検知部と
を備え、
前記問合せ部は、前記放置状態検知部の検知結果に関わらず、前記計時部が計時する時刻が前記時刻記憶部に記憶された時刻情報が示す就寝時刻から起床時刻までの間である場合に、前記照度検知部が検知する照度が閾値以下、かつ、前記収音部が収音した音声の音圧レベルが閾値以下であるときには、前記問い合わせをしない
ことを特徴とする請求項１から５のいずれかに記載の携帯端末。
【請求項７】
前記問合せ部は、前記放置状態検知部の検知結果に関わらず、自端末の電源が充電されている期間には前記問い合わせをしない
ことを特徴とする請求項１から６のいずれかに記載の携帯端末。
【請求項８】
前記報知部は、ユーザにより発せられた前記キーワードが表す音声を前記収音部が収音した結果に基づいて、自端末と当該ユーザとの距離に応じた態様で自端末の存在を報知する
ことを特徴とする請求項１から７のいずれかに記載の携帯端末。
【請求項９】
互いに間隔を空けて配置された複数の収音部と、
ユーザにより発せられた前記キーワードを意味する音声を前記複数の収音部のそれぞれが収音した時期のずれと、前記収音部同士の間隔とに基づいて、自端末からみた当該ユーザが位置する方向を特定する方向特定部と
を備え、
前記報知部は、前記方向特定部により特定された方向に応じた態様で報知音を放音部に放音させる
ことを特徴とする請求項１から８のいずれかに記載の携帯端末。
【請求項１０】
携帯端末のコンピュータに、
自端末が所定期間継続してユーザにより使用されていない放置状態を検知する放置状態検知ステップと、
前記放置状態検知ステップにおいて放置状態が検知された場合に、自端末の存在を認識しているか否かをユーザに問い合わせる問合せステップと、
前記問合せステップにおける問い合せに対するユーザの応答を受け付ける受付ステップと、
前記受付ステップにおいて前記応答を受け付けなかった場合に、収音部が収音した音声に対する音声認識を開始する音声認識ステップと、
前記音声認識ステップにおいてあらかじめ決められたキーワードが認識された場合に、ユーザに対して自端末の存在を報知する報知ステップと
を実行させるためのプログラム。
【発明の詳細な説明】
【技術分野】
【０００１】
本発明は、携帯端末の報知機能に関する。
【背景技術】
【０００２】
ユーザが携帯端末を紛失した場合にその発見を助けるための機能である探索機能に関する技術として、特許文献１に開示されたものがある。特許文献１は、携帯形通信装置が所定のしきい値以上の音声が入力したときに音声認識モードに移行し、更に、入力した音声があらかじめ登録された呼び名と一致したときは音声によって応答することを開示している。特許文献１が開示する技術によれば、携帯形通信装置が自装置の存在をユーザに報知することができる一方、常に音声認識モードで動作する場合に比べて低消費電力化を実現することができる。
【先行技術文献】
【特許文献】
【０００３】
【特許文献１】特開２００２−５７７４９号公報
【発明の概要】
【発明が解決しようとする課題】
【０００４】
特許文献１が開示する技術では、音声認識モードに移行する契機はユーザが携帯端末を紛失した可能性の高低とは無関係である。この技術では、周囲が騒々しい場合のようにその紛失の可能性が低い場合にも音声認識モードに移行することで、探索機能の不要な作動による無駄な電力消費を伴うことがある。
これに対し、本発明の目的は、携帯端末の探索機能の不要な作動を減らすことである。
【課題を解決するための手段】
【０００５】
上述した課題を解決するため、本発明の携帯端末は、自端末が所定期間継続してユーザにより使用されていないことを示す放置状態を検知する放置状態検知部と、前記放置状態検知部により放置状態が検知された場合に、自端末の存在を認識しているか否かをユーザに問い合わせる問合せ部と、前記問合せ部による問い合せに対するユーザの応答を受け付ける応答受付部と、前記応答受付部が前記応答を受け付けなかった場合に、収音部が収音した音声に対する音声認識を開始する音声認識部と、前記音声認識部によりあらかじめ決められたキーワードが認識された場合に、前記ユーザに対して自端末の存在を報知する報知部とを備えることを特徴とする。
【０００６】
本発明の好ましい態様において、操作部を備え、前記放置状態検知部は、前記所定期間継続して前記操作部が操作されないことを前記放置状態として検知し、前記応答受付部は、ユーザの前記操作部の操作により前記応答を受け付けることを特徴とする。この態様において、自端末に与えられる振動を検知する振動検知部を備え、前記放置状態検知部は、前記操作部が操作されず、かつ、前記振動検知部が振動を検知しない期間が前記所定期間継続したことを前記放置状態として検知してもよい。
【０００７】
本発明の別の好ましい態様において、自端末がユーザにより使用されなかった期間の履歴を蓄積する履歴蓄積部を備え、前記放置状態検知部は、前記履歴蓄積部に蓄積された履歴に応じた長さの前記所定期間に基づいて、前記放置状態を検知することを特徴とする。この態様において、前記履歴蓄積部は、あらかじめ決められた時期ごとに分類して前記履歴を蓄積し、前記放置状態検知部は、現在の時期に対応する前記履歴に応じた長さの前記所定期間に基づいて、前記放置状態を検知してもよい。
【０００８】
本発明の別の好ましい態様において、計時部と、自端末のユーザの就寝時刻及び起床時刻を表す時刻情報を記憶する時刻記憶部と、自端末の周囲の照度を検知する照度検知部とを備え、前記問合せ部は、前記放置状態検知部の検知結果に関わらず、前記計時部が計時する時刻が前記時刻記憶部に記憶された時刻情報が示す就寝時刻から起床時刻までの間である場合に、前記照度検知部が検知する照度が閾値以下、かつ、前記収音部が収音した音声の音圧レベルが閾値以下であるときには、前記問い合わせをしないことを特徴とする。
本発明の別の好ましい態様において、前記問合せ部は、前記放置状態検知部の検知結果に関わらず、自端末の電源が充電されている期間には前記問い合わせをしないことを特徴とする。
【０００９】
本発明の別の好ましい態様において、前記報知部は、ユーザにより発せられた前記キーワードが表す音声を前記収音部が収音した結果に基づいて、自端末と当該ユーザとの距離に応じた態様で自端末の存在を報知することを特徴とする。
【００１０】
本発明の別の好ましい態様において、互いに間隔を空けて配置された複数の収音部と、ユーザにより発せられた前記キーワードを意味する音声を前記複数の収音部のそれぞれが収音した時期のずれと、前記収音部同士の間隔とに基づいて、自端末からみた当該ユーザが位置する方向を特定する方向特定部とを備え、前記報知部は、前記方向特定部により特定された方向に応じた態様で報知音を放音部に放音させることを特徴とする。
【００１１】
本発明のプログラムは、携帯端末のコンピュータに、自端末が所定期間継続してユーザにより使用されていない放置状態を検知する放置状態検知ステップと、前記放置状態検知ステップにおいて放置状態が検知された場合に、自端末の存在を認識しているか否かをユーザに問い合わせる問合せステップと、前記問合せステップにおける問い合せに対するユーザの応答を受け付ける受付ステップと、前記受付ステップにおいて前記応答を受け付けなかった場合に、収音部が収音した音声に対する音声認識を開始する音声認識ステップと、前記音声認識ステップにおいてあらかじめ決められたキーワードが認識された場合に、ユーザに対して自端末の存在を報知する報知ステップとを実行させるためのものである。
【発明の効果】
【００１２】
本発明によれば、携帯端末の探索機能の不要な作動を減らすことができる。
【図面の簡単な説明】
【００１３】
【図１】携帯端末の構成を示すブロック図
【図２】携帯端末の外観を示す正面図
【図３】制御部が実現する機能構成を示す機能ブロック図
【図４】方向・距離特定部が実現する機能を説明する図
【図５】探索機能に係る動作の手順を示すフローチャート
【図６】睡眠判定処理の手順を示すフローチャート
【図７】携帯端末の構成を示すブロック図
【図８】放置履歴情報のデータ構造を示す図
【発明を実施するための形態】
【００１４】
［実施形態］
以下、図面を参照して本発明の実施形態を説明する。
図１は、携帯端末１０の構成を示すブロック図である。携帯端末１０は、ここでは携帯電話端末であり、図１に示すように、制御部１１と、操作部１２と、表示部１３と、無線通信部１４と、加速度センサ１５と、マイクロホン１６と、スピーカ１７と、点灯部１８と、照度センサ１９と、記憶部２０とを備える。
制御部１１は、ＣＰＵ（Central Processing Unit）を含む演算装置や計時部ＣＬＫ、メモリ、各種の音声処理を行うためのＤＳＰ（Digital Signal Processor）を備える。演算装置は、記憶部２０に記憶されたプログラムをメモリに読み出して実行し、携帯端末１０の動作を制御する。計時部ＣＬＫは、例えばリアルタイムクロックを備え、例えば現在時刻を計時する機能を有している。操作部１２は、テンキー等の複数の操作子を備え、ユーザによる操作子の操作を受け付ける。表示部１３は、例えば液晶駆動回路や液晶ディスプレイを備え、画像の表示により情報に応じた内容を報知する。無線通信部１４は、無線通信回路やアンテナを備え、移動体通信網、ゲートウェイ及びインターネットを含む通信網に接続するための無線通信インタフェースである。
【００１５】
加速度センサ１５は、いわゆる３軸加速度センサであり、互いに直交する３方向の加速度をそれぞれ検出する。加速度センサ１５は、携帯端末１０に生じた加速度を検知する。加速度センサ１５の検知結果によれば、携帯端末１０が各方向に変位した量を特定可能である。よって、加速度センサ１５は、携帯端末１０（換言すると、携帯端末１０の筐体）に外力が作用して与えられる振動を検知する振動検知部として機能するものである。マイクロホン１６は、携帯端末１０の位置で収音する収音部であり、検出した音声を表すアナログ形式の音声信号を制御部１１に出力する。具体的には、マイクロホン１６は、受話音声を収音するマイクロホンのほか、マイクロホン１６１，１６２及び１６３を有している（図２参照）。
【００１６】
スピーカ１７は、送話音声等を放音する放音部に相当する。点灯部１８は、例えばＬＥＤ（Light Emitting Diode）を備え、光を放つことによって情報をユーザに報知する。照度センサ１９は、携帯端末１０の周囲の照度を検知する照度検知部として機能し、検知した照度を示す照度データを制御部１１に出力する。記憶部２０は、例えばＥＥＰＲＯＭ（Electronically Erasable and Programmable ROM）を備える記憶部であり、登録キーワード２０１を記憶する。登録キーワード２０１は、ユーザによってあらかじめ登録された音声の内容を表す文字データである。登録キーワード２０１は、例えば「おーい。」という呼び掛けやユーザの氏名を意味する文字データである。
【００１７】
図２は、携帯端末１０の外観を示す正面図である。携帯端末１０は折り畳み可能なタイプの携帯端末であり、図２は携帯端末１０が折り畳まれた状態の外観を示したものである。
図２に示すように、携帯端末１０の正面は矩形であり、携帯端末１０の正面には一列となるように点灯部１８が３つ設けられている。すなわち、携帯端末１０が折り畳まれた状態であり、ユーザによって携帯端末１０が使用されないときであっても、点灯部１８が点灯しているときにはユーザはそれを外部から把握することができる。また、携帯端末１０には、正面の長辺方向に沿って一列にマイクロホン１６１，１６２及び１６３が設けられている。マイクロホン１６１，１６２及び１６３は、それぞれ携帯端末１０の筐体内に設けられ、筐体に設けられた図示せぬ孔を介して進入する音声を収音する。マイクロホン１６１，１６２及び１６３は、隣り合うもの同士が一定の間隔ｄを空けてそれぞれ配置される。
以上の構成の携帯端末１０は、探索機能を実現するものである。続いて、この探索機能に関して制御部１１が実現する機能について説明する。
【００１８】
図３は、制御部１１が実現する機能構成を示す機能ブロック図である。
制御部１１はプログラムを実行することにより、登録部１１１と、放置状態検知部１１２と、問合せ部１１３と、応答受付部１１４と、音声認識部１１５と、方向・距離特定部１１６と、報知部１１７とに相当する各機能を実現する。
登録部１１１は、登録キーワード２０１を携帯端末１０に登録するための機能を実現する。登録部１１１は、ユーザが発した声を表す音声がマイクロホン１６によって収音されると、その音声認識の結果に応じた登録キーワード２０１を生成し、記憶部２０に記憶させる。このとき、登録部１１１は、ユーザにより操作部１２が操作されて入力された文字に基づいて、登録キーワード２０１を生成して登録してもよい。
【００１９】
放置状態検知部１１２は、携帯端末１０が所定期間継続してユーザにより使用されていない（つまり、不使用である）ことを示す放置状態を検知する。ここでは、放置状態検知部１１２は、操作部１２の操作の有無、及び加速度センサ１５による振動検知の有無を、携帯端末１０が不使用であるか否かの指標とする。具体的には、放置状態検知部１１２は、操作部１２が操作されず、かつ、加速度センサ１５が振動を検知しない期間が所定期間（例えば、１時間）継続したことを放置状態として検知する。このように、放置状態検知部１１２は、ユーザにより携帯端末１０が使用された後で携帯端末１０が置かれる状態を示す情報を検知し、これを放置状態として検知する。
なお、放置状態検知部１１２が放置状態であることの検知に用いる期間は、例えば、設計段階等であらかじめ決められた期間であってもよいし、ユーザにより事前に指定された期間であってもよい。
【００２０】
問合せ部１１３は、放置状態検知部１１２により放置状態が検知された場合に、携帯端末１０の存在を認識しているか否かをユーザに問い合わせる。ユーザが携帯端末１０の存在を認識しているということは、例えば、ユーザが携帯端末１０の位置を把握していて、その携帯端末１０を紛失していないことを意味する。反対に、ユーザが携帯端末１０の存在を認識していないということは、ユーザが携帯端末１０の位置を把握しておらず、その携帯端末１０を紛失した可能性があることを意味する。問合せ部１１３は、例えば、点灯部１８を所定の点灯パターンで点灯させてユーザに問合せをし、この点灯によって操作部１２を操作することをユーザに促す。
【００２１】
応答受付部１１４は、問合せ部１１３による問い合せに対するユーザの応答を受け付ける。ここでは、応答受付部１１４は、ユーザの操作部１２の操作により応答を受け付ける。応答受付部１１４が問合せ部１１３により点灯部１８の点灯が開始されてから決められた期間（例えば、１分間）内に操作部１２に何らかの操作がされなかった場合に、ユーザが携帯端末１０の存在を認識していないと見做される。すなわち、応答受付部１１４は、ユーザが携帯端末１０の存在を認識していることを示す応答として、そのユーザの意思が介入した情報を受け付ける。
【００２２】
音声認識部１１５は、応答受付部１１４がユーザからの応答を受け付けなかった場合に、収音部が収音した音声に対する音声認識を開始する。音声認識部１１５は、音声認識を開始すると、マイクロホン１６が収音した音声に対して音声認識した結果を文字コードに変換する。音声認識部１１５は、音声認識部１１５の音声認識により変換された文字コードと、登録キーワード２０１が表す文字コードとを比較して、両者が一致した場合に、登録キーワード２０１を認識したと判定する。
【００２３】
方向・距離特定部１１６は、マイクロホン１６１，１６２及び１６３が収音した結果に基づいて、携帯端末１０を基準としてユーザが位置する方向と、携帯端末１０とユーザとの間の距離をそれぞれ特定する。
報知部１１７は、音声認識部１１５により登録キーワードが認識された場合に、方向・距離特定部１１６により特定された距離に応じた態様で、ユーザに対して携帯端末１０の存在を報知する。例えば、報知部１１７は、報知音としてパルス音を用い、そのパルス音を放音させるための音声信号をスピーカ１７に出力する。このとき、報知部１１７は、方向・距離特定部１１６により特定された距離が小さいほど、パルス音同士の時間間隔を短くする。
【００２４】
図４は、方向・距離特定部１１６が実現する機能を説明する図である。
方向・距離特定部１１６は、ユーザが発した登録キーワードを意味する音声をマイクロホン１６１，１６２及び１６３のそれぞれが収音した時期のずれと、マイクロホン１６１，１６２及び１６３の隣り合うもの同士の間隔ｄとに基づいて、方向及び距離を特定する。
図４において、ユーザの位置から延びる二点鎖線は、ユーザからマイクロホン１６１，１６２及び１６３のそれぞれへの音の伝搬経路を表す。図４に示すように、ユーザから十分に離れたマイクロホン１６１，１６２及び１６３に対して到来する音波は、平面波として到来するとみなすことができる。よって、マイクロホン１６１からみた音の到来方向を示す角度θ１は、マイクロホン１６１，１６２間の距離ｄと、マイクロホン１６１と１６２との音波の伝搬距離の差Ｌ１とを用いて一意に特定される。また、マイクロホン１６２からみた音の到来方向を示す角度θ２は、マイクロホン１６２，１６３間の距離ｄと、マイクロホン１６２と１６３との音波の伝搬距離の差Ｌ２とを用いて一意に特定される。Ｌ１，Ｌ２については、方向・距離特定部１１６が下記式（１），（２）の関係を満たすようにして算出する。式（１）において、時間ｔ１は、マイクロホン１６１の収音時期と、マイクロホン１６２の収音時期とのずれを表す。式（２）において、時間ｔ２は、マイクロホン１６２の収音時期と、マイクロホン１６３の収音時期とのずれを表す。式（１）、（２）において、ｖは大気中を伝搬する音波の伝搬速度（およそ３４０ｍ／ｓ）である。
Ｌ１＝ｖ＊ｔ１  ・・・（１）
Ｌ２＝ｖ＊ｔ２  ・・・（２）
【００２５】
更に、方向・距離特定部１１６は、下記式（３），（４）の関係を満たすように、携帯端末１０からみたユーザの方向を示す角度θ１，θ２を算出する。
なお、一のマイクロホンからみたユーザの方向を特定するためには、マイクロホンは２つあればよい。
θ１＝ｃｏｓ−１（Ｌ１／ｄ）＝ｃｏｓ−１（ｖ＊ｔ１／ｄ）  ・・・（３）
θ２＝ｃｏｓ−１（Ｌ２／ｄ）＝ｃｏｓ−１（ｖ＊ｔ２／ｄ）  ・・・（４）
【００２６】
更に、方向・距離特定部１１６は、下記式（５）の関係を満たすように、携帯端末１０とユーザとの間の距離を算出する。ここでは、ユーザの位置と、マイクロホン１６１の位置と、マイクロホン１６２の位置とをそれぞれ線分で結んで三角形を想定し、式（５）において、マイクロホン１６１とユーザとの間の距離Ｌを、携帯端末１０とユーザとの距離と見做している。
なお、一のマイクロホンとユーザとの距離の特定をするためには、マイクロホンは３つ必要である。
Ｌ＝ｄ＊ｓｉｎ（θ２）／ｓｉｎ（θ１＋θ２）  ・・・（５）
【００２７】
なお、理論上は、各マイクロホンとユーザとの間との距離はマイクロホンの位置の違いによる差異しか生じない。よって、方向・距離特定部１１６は、他のマイクロホンとユーザとの間の距離を、携帯端末１０とユーザとの間の距離として特定してもよい。
次に、携帯端末１０が実現する探索機能に関する動作手順について説明する。
【００２８】
図５は、携帯端末１０の制御部１１が実行する探索機能に係る動作の手順を示すフローチャートである。
まず、制御部１１は、携帯端末１０の電源（つまり、充電池）が充電中であるか否かを判定する（ステップＳ１）。制御部１１は、充電中であると判定した場合には（ステップＳ１；ＹＥＳ）、探索機能を作動させないで処理を終了する。携帯端末１０の電源が充電中であるということは、たとえ携帯端末１０が不使用である期間（以下、「不使用期間」という。）が長い場合であっても、ユーザが知りうる場所に放置されているだけで、ユーザが紛失した状況でない可能性が高いと推測されるからである。
なお、ここでは、実際に携帯端末１０の電源に充電が行われていなくとも、携帯端末１０に充電器が装着されている状態を「充電中」と見做してもよい。
【００２９】
制御部１１は、携帯端末１０の電源が充電中でないと判定した場合には（ステップＳ１；ＮＯ）、次に、睡眠判定処理を実行する（ステップＳ２）。制御部１１は、睡眠判定処理を実行して、ユーザが睡眠中であるか否かを判定する（ステップＳ３）。制御部１１は、睡眠判定処理を実行して、ユーザが睡眠中であると判定した場合には（ステップＳ３；ＹＥＳ）、探索機能を作動させないで処理を終了する。ユーザが睡眠中であるということは、たとえ携帯端末１０が不使用であっても、ユーザが睡眠中であるがゆえの不使用であるから、それを紛失した状況である可能性は低いと考えられるからである。
ここで、睡眠判定処理の詳細について説明する。
【００３０】
図６は、睡眠判定処理の手順を示すフローチャートである。
制御部１１は、計時部ＣＬＫが計時する時刻が、記憶部２０に記憶された時刻情報が示す睡眠設定時刻内であるか否かを判定する（ステップＳ２１）。睡眠設定時刻は、例えば、就寝時刻を「０：００」とし、起床時刻を「６：００」とするようにあらかじめ設定されている。一般に、午前０時から午前６時のような、深夜から早朝の時間帯に睡眠をとる人物は多いと考えられる。そこで、このような睡眠設定時刻が設計段階等で決められており、就寝時刻及び起床時刻の各時刻を表す時刻情報が記憶部２０にあらかじめ記憶されている。
なお、携帯端末１０は、睡眠設定時刻がユーザにより指定される構成であってもよい。この場合、制御部１１（登録部１１１）は、睡眠設定時刻を携帯端末１０に登録するべく、ユーザにより操作部１２を介して指定された就寝時刻及び起床時刻の各時刻を表す時刻情報を、記憶部２０に記憶させる。
【００３１】
制御部１１は、計時部ＣＬＫが計時する時刻が睡眠設定時刻内（つまり、就寝時刻から起床時刻までの間）でないと判定すると（ステップＳ２１；ＮＯ）、ユーザが睡眠中でないと判定して、睡眠判定処理を終了する（ステップＳ３０）。計時部ＣＬＫが計時する時刻が睡眠設定時刻内でないということは、例えばユーザが日常生活において就寝しない時刻であることを意味するので、ユーザが睡眠中である可能性が比較的低いと推測されるからである。
【００３２】
制御部１１は、計時部ＣＬＫが計時する時刻が睡眠設定時刻内であると判定すると（ステップＳ２１；ＹＥＳ）、次に、加速度センサ１５によって携帯端末１０における振動を検知したか否かを判定する（ステップＳ２２）。ここで、制御部１１は、加速度センサ１５により振動を検知した場合には（ステップＳ２２；ＹＥＳ）、ユーザが睡眠中でないと判定し、睡眠判定処理を終了する（ステップＳ３０）。携帯端末１０に振動が生じているということは、例えばユーザが携帯端末１０を使用している最中であったり、それを携帯して移動している最中であったりするなどと推測されるから、ユーザが睡眠中でない可能性が高いと推測されるからである。
【００３３】
制御部１１は、ステップＳ２２の処理で「ＮＯ」と判定すると、その判定をした時点からの計時を開始する（ステップＳ２３）。制御部１１は、計時部ＣＬＫの計時する時刻を参照して、この計時を行えばよい。次に、制御部１１は、ステップＳ２３の処理で計時を開始したときから、所定期間（例えば、１時間）継続して、操作部１２の操作がないか否かを判定する（ステップＳ２４）。制御部１１は、この間に操作部１２の操作があったと判定すると（ステップＳ２４；ＮＯ）、ユーザが睡眠中でないと判定し、睡眠判定処理を終了する（ステップＳ３０）。操作部１２が操作されたということは、ユーザが携帯端末１０を利用していることを意味し、ユーザが睡眠中でないと推測されるからである。
【００３４】
次に、制御部１１は、所定期間継続して操作部１２の操作がないと判定すると（ステップＳ２４；ＹＥＳ）、照度センサ１９によって携帯端末１０の周囲の照度を検知する（ステップＳ２５）。そして、制御部１１は、照度センサ１９によって検知された照度が閾値（例えば、３０ルクス）以下であるか否かを判定する（ステップＳ２６）。ここで、制御部１１は、照度センサ１９によって検知された照度が閾値を上回っていると判定すると（ステップＳ２６；ＮＯ）、ユーザが睡眠中でないと判定し、睡眠判定処理を終了する（ステップＳ３０）。携帯端末１０の周囲の照度が高いということは、室内の照明が点灯している等、携帯端末１０が比較的明るい状況下にあることを意味するから、ユーザが睡眠中でないと推測されるためである。
なお、ステップＳ２６の処理で制御部１１が用いる閾値は、消灯時の室内の明るさ等に基づいて、設計段階で決められているとよい。
【００３５】
制御部１１は、照度センサ１９によって検知された照度が閾値以下であると判定すると（ステップＳ２６；ＹＥＳ）、マイクロホン１６に周囲の音声を収音させ、各周波数の音圧レベルを特定する（ステップＳ２７）。そして、制御部１１は、特定の周波数帯域（例えば、可聴域）の音圧レベルが閾値以下であるか否かを判定する（ステップＳ２８）。例えば、制御部１１は、この特定の周波数帯域における最大の音圧レベルを閾値と比較したり、この特定の周波数帯域における音圧レベルの平均値を閾値と比較したりする。
ここで、制御部１１は、マイクロホン１６により収音された音声の音圧レベルが閾値を上回っていると判定すると（ステップＳ２８；ＮＯ）、ユーザが睡眠中でないと判定し、睡眠判定処理を終了する（ステップＳ３０）。携帯端末１０の周囲の音圧レベルが高いということは、騒々しい場所に携帯端末１０が位置するため、ユーザが睡眠中でない可能性が比較的高いと推測されるからである。
なお、ステップＳ２８の処理で制御部１１が用いる閾値は、例えば住宅での日常的な騒音レベル等に照らして、設計段階で決められているとよい。
【００３６】
制御部１１は、マイクロホン１６により収音された音声の音圧レベルが閾値以下であると判定すると（ステップＳ２８；ＹＥＳ）、ユーザが睡眠中であると判定し、睡眠判定処理を終了する（ステップＳ２９）。
以上のように、制御部１１は、計時部ＣＬＫが計時する時刻が睡眠設定時刻内である場合に、照度センサ１９が検知する照度が閾値以下、かつ、マイクロホン１６が収音した音声の音圧レベルが閾値以下であるときには、ユーザが睡眠中であると判定する。
睡眠判定処理の説明は以上である。
【００３７】
図５に戻って説明する。
制御部１１は、睡眠判定処理を実行してユーザが睡眠中でないと判定した場合には（ステップＳ３；ＮＯ）、携帯端末１０が放置状態を検知したか否かを判定する（ステップＳ４）。ここでは、制御部１１は、操作部１２が操作されず、かつ、加速度センサ１５により振動を検知せず、携帯端末１０の不使用期間が所定期間（例えば、１時間）継続した場合に、これを放置状態として検知する。そして、制御部１１は、携帯端末１０が放置状態を検知しなかった場合には（ステップＳ４；ＮＯ）、探索機能を作動させないで処理を終了する。携帯端末１０が放置状態でないということは、最近までユーザにより携帯端末１０が利用されていたことを意味するから、携帯端末１０が紛失された状況にない可能性が比較的高いと推測される。
【００３８】
制御部１１は、携帯端末１０が放置状態を検知した場合には（ステップＳ４；ＹＥＳ）、携帯端末１０の存在を認識しているか否かをユーザに問い合わせる（ステップＳ５）。ステップＳ５の処理では、制御部１１は、点灯部１８を点灯させることによって、携帯端末１０の存在を認識しているか否かをユーザに問い合わせる。制御部１１は、この点灯を例えば１分間継続して行うことで、操作部１２の操作をユーザに促す。
【００３９】
そして、制御部１１は、ユーザからの応答を受け付けたか否かを判定する（ステップＳ６）。ここで、制御部１１は、ステップＳ６の処理で問い合わせを開始してからの操作部１２の操作をユーザからの応答として受け付けた場合（ステップＳ６；ＹＥＳ）、探索機能を作動させないで処理を終了する。その理由は、ユーザが携帯端末１０の存在を認識しているから操作部１２の操作を行ったのであり、携帯端末１０が紛失された状況でないと推測されるからである。
【００４０】
一方、制御部１１は、ステップＳ５の処理の問い合わせにより、ユーザからの応答がなかったと判定すると（ステップＳ６；ＮＯ）、ユーザが携帯端末１０の存在を認識していないとして、マイクロホン１６が収音した音声に対する音声認識を開始する（ステップＳ７）。制御部１１がステップＳ７の処理を実行したことにより、携帯端末１０は自端末の探索機能を作動させたことになる。
なお、制御部１１は、ステップＳ７の処理以前ではマイクロホン１６により収音された音声に基づく処理を行っておらず、このステップＳ７の処理を契機に、収音された音声を表す音声信号を取得するとよい。
【００４１】
次に、制御部１１は、マイクロホン１６が収音した音声に対する音声認識を行い、登録キーワード２０１が表す音声が認識されたか否かを判定する（ステップＳ８）。ここで、制御部１１は、登録キーワード２０１が表す音声が認識されていないと判定すると（ステップＳ８；ＮＯ）、操作部１２の操作を受け付けたか否かを判定する（ステップＳ１１）。そして、制御部１１は、操作部１２の操作を受け付けたと判定すると（ステップＳ１１；ＹＥＳ）、ユーザにより携帯端末１０が利用されたとして、音声認識を終了し探索機能を停止させる。一方、制御部１１は、操作部１２の操作を受け付けていないと判定すると（ステップＳ１１；ＮＯ）、ステップＳ８の処理に戻って、引き続き、登録キーワード２０１が表す音声が認識されたか否かを判定する。
【００４２】
ステップＳ８の処理で、制御部１１は、登録キーワード２０１が表す音声が認識されたと判定すると（ステップＳ８；ＹＥＳ）、ステップＳ９の処理に進む。
次に、制御部１１は、携帯端末１０からみたユーザの方向と、携帯端末１０とユーザとの間の距離とを特定する（ステップＳ９）。ここで、制御部１１は、隣り合うマイクロホン同士の距離ｄと、マイクロホン１６１，１６２及び１６３の収音時期のずれとに基づいて、上述した式（１）〜（５）の関係を満たすように、携帯端末１０からみたユーザの方向と、携帯端末１０とユーザとの間の距離Ｌを特定する。
【００４３】
そして、制御部１１は、特定した距離に応じた態様で報知音をスピーカ１５に放音させ、携帯端末１０の存在をユーザに対して報知する（ステップＳ１０）。そして、制御部１１は、ステップＳ１１に進み、ユーザにより操作部１２が操作されるまで、上記処理ステップＳ８〜Ｓ１１を繰り返す。
このように、制御部１１は、ユーザからの登録キーワードの呼び掛けがあるたびに、ステップＳ９の処理で距離及び方向を特定し、ステップＳ１０の処理でその距離に応じた態様でスピーカ１７に報知音を放音させる。これにより、ユーザは登録キーワードの呼びかけをするたびに、自身と携帯端末１０との距離に応じた態様の報知音を聴くことになるので、携帯端末１０までの距離をその報知音からおおよそ把握することができる。
なお、ユーザは報知音が到来する方向も把握することも可能であるから、制御部１１は、携帯端末１０の位置を報知しているということもできる。
以上説明した探索機能の作動により、ユーザはこれを助けにして携帯端末１０を探索することができる。
【００４４】
以上説明した実施形態によれば、携帯端末１０は、自端末が充電中であるか否か、ユーザが睡眠中であるか否か、自端末が放置状態であるか否か及びユーザが自端末の存在を認識しているか否かという複数条件に基づいて、探索機能の作動の有無を判定する。これら各条件は、携帯端末１０が置かれる状況に応じて、ユーザが携帯端末を紛失した可能性があると考えられる場合を基に定められている。よって、携帯端末１０によれば、常にマイクロホン１６が収音した音声に対する音声認識を行ったり、ユーザが携帯端末を紛失した可能性のあると推測しない場合に音声認識を行ったりする構成に比べて、不要な探索機能の作動の頻度を減らすことができるので、携帯端末１０における低消費電力化を実現することができる。
【００４５】
［変形例］
本発明は、上述した実施形態と異なる形態で実施することが可能である。本発明は、例えば、以下のような形態で実施することも可能である。また、以下に示す変形例は、各々を適宜に組み合わせてもよい。
［変形例１］
上述した実施形態では、携帯端末１０は、ステップＳ４の処理で、所定時間継続して自端末が継続して不使用であった場合に、放置状態を検知していた。これに対し、携帯端末１０は、自端末における不使用期間を学習し、その不使用期間との対比により、放置状態を検知してもよい。
図７は、本変形例の携帯端末の構成を示すブロック図である。携帯端末１０ａは、制御部１１と、操作部１２と、表示部１３と、無線通信部１４と、加速度センサ１５と、マイクロホン１６と、スピーカ１７と、点灯部１８と、照度センサ１９と、記憶部２０とを備える。
なお、図７において、制御部１１及び記憶部２０以外の図示を省略する。
【００４６】
記憶部２０は、図示省略した登録キーワード２０１及び放置履歴情報２０２を記憶する。図８は、放置履歴情報２０２のデータ構造を示す図である。
放置履歴情報２０２は、あらかじめ決められた時期ごとに分類して、携帯端末１０ａにおける不使用期間の履歴を蓄積するものである。放置履歴情報２０２は、「月火水木金」（月〜金）と「土日」（土、日）という具合に曜日単位で２つに大別され、それぞれについて「０時」から「２４時」までが１時間毎に区切られた構造である。例えば、放置履歴情報２０２において、曜日「月火水木金」及び時刻「０：００→０：５９」に対応付けられた「放置期間（分）」のフィールドには、「５７」分と記述されている。これは、過去の所定期間（例えば、１ヶ月）において、月〜金の「０：００」から「０：５９」までにおいては、平均して、不使用期間が５７分であったことを意味する。放置履歴情報２０２における他の曜日及び時刻についても同様の規則で記述されている。
【００４７】
制御部１１は、計時部ＣＬＫが計時する時刻に基づいて、携帯端末１０の不使用期間を特定し、この不使用期間を用いて放置履歴情報２０２を更新する。具体的には、制御部１１は、新たな不使用期間を特定すると、過去の所定期間内の不使用期間と、今回特定した不使用期間との平均値を算出して、この平均値となるように放置履歴情報２０２を更新する。
なお、制御部１１は、過去の所定期間内で最も長い不使用期間を放置履歴情報２０２に記述してもよく、放置履歴情報２０２には不使用期間の長さの履歴が記述されればよい。
【００４８】
次に、携帯端末１０の制御部１１が実行する探索機能に係る動作の手順について説明する。制御部１１が実行する動作は、基本的には上述した実施形態と同じであるが、ステップＳ４の放置状態の判定に関する処理が相違する。
ステップＳ４の処理では、制御部１１は、現在の時期に対応する放置履歴情報２０２に応じた長さの不使用期間を経過したか否かに基づいて、放置状態を検知する。具体的には、制御部１１は、計時部ＣＬＫが計時する時刻を特定し、特定した現在時刻に対応する放置履歴情報２０２のフィールドを参照する。そして、制御部１１は、現時点の不使用期間が放置履歴情報２０２で規定されたものよりも長いか否かを判定する。ここで、制御部１１は、放置履歴情報２０２で規定される期間よりも長い、つまり、普段の不使用期間よりも長い不使用期間となった場合に、放置状態を検知する。例えば、図８の例を用いれば、制御部１１は、月〜金の「０：００」から「０：５９」までにおいては、５７分間よりも長い不使用期間となった場合に放置状態を検知する。
【００４９】
また、制御部１１は、放置履歴情報２０２に基づいて以下のようにして放置状態を検知してもよい。図８に示す放置履歴情報２０２において、土日の「１：００」から「１：５９」までは、放置期間が「５０分」である。この時間帯では、平均的に、ユーザが１時間（６０分間）のうちの１０分間は携帯端末１０を使用すると見做すことができる。すなわち、この時間帯において、６分間のうちの１分間は、ユーザが携帯端末１０を使用しているということである。換言すると、ユーザが携帯端末１０を１分間使用することを１回の使用と見做せば、ユーザは６分間に１回は携帯端末１０を使用していることになる。そこで、ステップＳ４の処理において、制御部１１は、６分間よりも長い不使用期間となった場合に放置状態を検知してもよい。
以上のように、制御部１１は、放置履歴情報２０２に基づいて、ユーザが携帯端末１０を単位時間使用するのに掛かる時間（１回の使用と見做せる使用をするのに掛かる時間）を、不使用期間と対比することにより、放置状態を検知してもよい。
【００５０】
本変形例の構成によれば、携帯端末１０は、ユーザの生活習慣や自端末の利用状況に照らした不使用期間に基づいて、放置状態を検知する。これにより、制御部１１が、必要以上にステップＳ５の処理での問い合わせを抑えられるので、ユーザの応答に係る負担を抑えることができる。
なお、本変形例の放置履歴情報２０２における曜日及び時刻の区分の態様は一例であり、日付等の別の条件で時期が区分されてもよい。また、放置履歴情報２０２は時期毎に分類されていなくてもよい。
【００５１】
［変形例２］
上述した実施形態において、報知部１１７は、方向・距離特定部１１６により特定された距離に応じた態様で報知音を放音させていたが、携帯端末１０からみたユーザの位置する方向に応じた報知を行ってもよい。本変形例の構成では、マイクロホン１６は、アレイ状に配置されたマイクロホン（いわゆる、マイクロホンアレイ）を有し、携帯端末１０はこのマイクロホンアレイを用いて指向性を付与した放音をすることができる。
方向・距離特定部１１６が、携帯端末１０を基準したユーザの方向を特定すると、報知部１１７は、方向・距離特定部１１６により特定された方向に応じた指向性制御を施して、マイクロホンアレイに放音させる。具体的には、報知部１１７は、ユーザの居る方向に対して指向性を付与してビーム状の報知音を放音させる。これにより、携帯端末１０のユーザ以外の者により報知音が聞かれにくくなる。
また、本変形例で、携帯端末１０がマイクロホンアレイを有することを必須としておらず、制御部１１は報知音の種類を方向・距離特定部１１６により特定された方向に応じて、放音の態様を異ならせてもよい。
【００５２】
［変形例３］
上述した実施形態では、放置状態検知部１１２は、携帯端末１０が不使用であることの条件として、操作部１２が操作されず、かつ、加速度センサ１５が振動を検知しないこととしていたが、操作部１２が操作されないことのみを不使用の指標として用いてもよい。また、放置状態検知部１１２は、表示部１３に同一の表示画面が閾値以上の期間表示され続けたことを放置状態として検知してもよい。その理由は、表示部１３に画面表示があるにも関わらず、その内容が変更されないということは、ユーザが携帯端末１０付近におらず、それを紛失した状態である可能性が考えられるからである。また、放置状態検知部１１２は、折り畳み可能なタイプの携帯端末１０において、その開閉操作がないことを不使用であることの条件としてもよい。本発明の携帯端末にあって、放置状態検知部１１２は、不使用と見做される状態が所定期間継続したことを放置状態として検知すればよく、不使用とするための条件については種々の変形が可能である。
【００５３】
また、問合せ部１１３は、点灯部１８の点灯によりユーザに問い合わせをしていたが、例えば、表示部１３に操作部１２の操作をユーザに促すための画像を表示させたり、スピーカ１７にその操作を促すためのメッセージを放音させたりしてもよい。要するに、問合せ部１１３は、携帯端末１０の開閉状態等に関わらず、外部のユーザが問合せがあることを認識できる方法でこの問合せをすればよい。
また、応答受付部１１４は、操作部１２の操作によってユーザからの応答を受け付けていたが、例えば、問合せ部１１３が登録キーワード２０１を示す声を発するようユーザに促し、ユーザの声が音声認識された結果をユーザからの応答として受け付けてもよい。また、ユーザからの応答は携帯端末１０の振動であってよい。この場合、応答受付部１１４は、加速度センサ１５による加速度の検出結果をユーザからの応答として受け付ける。応答受付部１１４は、ユーザが携帯端末１０の存在を認識していることを示す情報を受け付ければよいから、ユーザが携帯端末１０に対して与える何らかの作用を応答として受け付けるものであればよい。
【００５４】
［変形例４］
上述した実施形態では、方向・距離特定部１１６が携帯端末１０とユーザとの距離を特定していたが、この機能を省略しても、報知部１１７は距離に応じた報知音の放音をすることは可能である。ユーザが登録キーワードを発するとき、各回で概ね同じ声量で発することも多いと考えられる。そこで、制御部１１は、マイクロホン１６によってユーザの発声音が収音されると、その収音した音声の例えば可聴域の音圧レベルの変化に応じて、ユーザが携帯端末１０に接近しているか遠ざかっているか等を判定する。すなわち、制御部１１は、次第に音圧レベルが高くなっていると判定すると、ユーザが携帯端末１０に近づいているとして報知音のパルス間隔を短くする。この構成の場合、携帯端末１０は距離を特定しなくてよいので、少なくとも受話音声の収音用のマイクロホンを備えていればよい。この構成の場合、方向・距離特定部１１６は、距離を特定せず、ユーザの方向を特定する方向特定部と言える。
また、報知部１１７は、距離に応じてパルス音の周期を異ならせることに代えて、距離が小さくなるほど報知音の音量を小さく（又は、大きく）する等して、別の方法で報知音の放音の態様を距離に応じて異ならせてもよい。
【００５５】
また、報知部１１７は、携帯端末１０とユーザとの間の距離に関わらず、同一の報知音を放音させてもよい。この場合、携帯端末１０において、方向・距離特定部１１６に相当する機能やこれを実現するための構成は不要である。
また、制御部１１が携帯端末１０の存在をユーザに対して報知するときの態様は典型的には音声であるが、例えば点灯部１８の点灯や表示部１３への画像表示等、他の方法を用いて報知してもよい。例えば、周囲が暗く、かつ、比較的騒音が多いような場所では、音声による報知よりも、光による報知の方が、ユーザが気付きやすい可能性が高いと考えられるからである。
【００５６】
［変形例５］
また、音声認識部１１５は、登録キーワードを音声認識するが、登録キーワードを発した者が携帯端末１０のユーザである場合に限り、報知部１１７は報知してもよい。この場合、登録キーワード２０１は、あらかじめ登録されたユーザの声を表す波形データである。そして、音声認識部１１５は、マイクロホン１６が収音した音を表す波形データと、登録キーワード２０１が示す波形データとを比較することで音声認識を行うとよい。
【００５７】
［変形例６］
上述した実施形態では、本発明の携帯端末を携帯電話端末に適用した場合を説明したが、本発明は、その他の携帯端末に適用することも可能である。例えば、本発明は、例えば、スマートフォンやＰＤＡ（Personal Digital Assistance）、携帯ゲーム機等の様々な携帯端末に適用することができる。また、携帯端末にとよっては、携帯端末１０が備えていたマイクロホン１６やスピーカ１７等に相当する構成を適宜外部構成としても本発明を特定しうる。
本発明の振動検知部は、加速度センサ以外により実現されてもよい。
また、携帯端末１０が距離ないし方向の特定のために用いるマイクロホンの数は、必要最低限の数ある限りいくつであってもよいし、その配置の仕方も種々の変形が可能である。
また、携帯端末１０の制御部１１が実現する各機能は、複数のプログラムの組み合わせによって実現され、又は、複数のハードウェア資源の協働によって実現されうる。
【符号の説明】
【００５８】
１０，１０ａ…携帯端末、１１…制御部、１１１…登録部、１１２…放置状態検知部、１１３…問合せ部、１１４…応答受付部、１１５…音声認識部、１１６…方向・距離特定部、１１７…報知部、１２…操作部、１３…表示部、１４…無線通信部、１５…加速度センサ、１６，１６１，１６２，１６３…マイク、１７…スピーカ、１８…点灯部、１９…照度センサ、２０…記憶部、２０１…登録キーワード、２０２…報知履歴情報
【図１】
2012070085.tif 000003
【図２】
2012070085.tif 000004
【図３】
2012070085.tif 000005
【図４】
2012070085.tif 000006
【図５】
2012070085.tif 000007
【図６】
2012070085.tif 000008
【図７】
2012070085.tif 000009
【図８】
2012070085.tif 000010